(57)【要約】【課題】テープ上に種子を簡単に保持させることが可能で、多数の種子を長手方向に沿って正確に等間隔で保持させることができ、種子が発芽して作物が生育していく過程においても有効な働きをする播種用テープを提供する。【解決手段】生分解性を有する可撓性材料で長尺帯状に形成された収容テープ１２に、種子を収容する種子収容凹部１６を長手方向に沿って等間隔で多数形設し、種子収容凹部の近傍に肥料を収容する肥料収容凹部１８を形設し、収容テープの上面に、多数の種子収容凹部および肥料収容凹部を閉塞するようにカバーテープ２２を剥離可能に接着して、播種用テープ１０を構成した。【選択図】図１
2007222034.tif 000002
【特許請求の範囲】
【請求項１】
長手方向に沿って等間隔で多数の種子を保持した播種用テープにおいて、
生分解性または水溶性もしくは水分解性を有する可撓性材料で長尺帯状に形成された収容テープに、種子を収容する種子収容凹部を長手方向に沿って等間隔で多数形設するとともに、前記各種子収容凹部の近傍に肥料もしくは薬剤を収容する肥料・薬剤収容凹部をそれぞれ形設し、
前記収容テープの上面に、前記多数の種子収容凹部および肥料・薬剤収容凹部を閉塞するようにカバーテープを剥離可能に接着したことを特徴とする播種用テープ。
【発明の詳細な説明】
【技術分野】
【０００１】
この発明は、播種作業を省力化するために使用されるテープであって、多数の種子を長手方向に沿って等間隔で保持した播種用テープに関する。
【背景技術】
【０００２】
圃場における播種作業は、一般に、地表に浅く掘られた穴内に所定の間隔を設けて人の手で種子を播いていく方法によっているが、播種の労力の軽減化を図るとともに、種子を直線上に播くことができるようにするために、水溶性又は水分解性の紙またはフィルムからなるテープ状の支持体上に多数の種子を所定の間隔で保持した播種用テープを使用し、この播種用テープを土壌中に埋めていくといった播種方法も行われている（例えば、特許文献１参照。）また、土壌中で微生物の働きにより自然に分解するセルロース系等の樹脂材料を用いた生分解性播種シートも種々提案され実用化されている（例えば、特許文献２参照。）。
【特許文献１】実開平５−２９３０９号公報（第４−６頁、図１、図２）
【特許文献２】特開平９−２０５８２７号公報（第４−５頁）
【発明の開示】
【発明が解決しようとする課題】
【０００３】
特許文献１に記載された播種用テープは、テープ状の支持体に点状に設けられた接着剤または粘着剤により種子を支持体上に固定するものである。このため、支持体上に接着剤で種子を固定するときは、支持体に接着剤を印刷等により塗工した後、溶剤が蒸発して接着剤が硬化する前に、種子を一粒ずつ接着剤上に落として種子を接着剤に付着させる必要があり、また、支持体上に粘着剤で種子を固定するときは、支持体に粘着剤を印刷等により塗工し、支持体上に種子を振りかけるなどして粘着剤に種子を付着させた後に、紫外線の照射等により粘着剤を硬化させて種子を支持体に強固に固定する工程が必要となってくる。このように、特許文献１に記載された播種用テープには、種子を支持体上に固定するための作業工程が面倒である、といった問題点がある。また、特許文献２に記載されたような単なる播種シートでは、多数の種子を長手方向に沿って正確に等間隔で保持させることが難しい、といった問題点がある。
【０００４】
また、特許文献１に記載された播種用テープや特許文献２に記載されたような播種シートを使用すると、播種の労力を軽減することができ、種子を直線上に播くことができるが、種子が発芽して作物が生育していく過程では、それらの播種用テープ等は何の役割も果たさない。
【０００５】
この発明は、以上のような事情に鑑みてなされたものであり、テープ上に種子を簡単に保持させることが可能で、多数の種子を長手方向に沿って正確に等間隔で保持させることができ、また、種子が発芽して作物が生育していく過程においても有効な働きをする播種用テープを提供することを目的とする。
【課題を解決するための手段】
【０００６】
請求項１に係る発明は、長手方向に沿って等間隔で多数の種子を保持した播種用テープにおいて、生分解性または水溶性もしくは水分解性を有する可撓性材料で長尺帯状に形成された収容テープに、種子を収容する種子収容凹部を長手方向に沿って等間隔で多数形設するとともに、前記各種子収容凹部の近傍に肥料もしくは薬剤を収容する肥料・薬剤収容凹部をそれぞれ形設し、前記収容テープの上面に、前記多数の種子収容凹部および肥料・薬剤収容凹部を閉塞するようにカバーテープを剥離可能に接着したことを特徴とする。
【発明の効果】
【０００７】
請求項１に係る発明の播種用テープにおいては、収容テープの種子収容凹部内に種子を一粒ずつあるいは複数粒、順次投入していくだけの作業により、収容テープ上に種子が保持される。そして、種子収容凹部は収容テープの長手方向に沿って等間隔で形設されているので、各種子収容凹部内にそれぞれ収容された種子は、収容テープの長手方向に沿って正確に等間隔で保持される。
【０００８】
また、種子収容凹部の近傍に設けられた肥料・薬剤収容凹部内に肥料もしくは薬剤が収容されているので、この播種用テープを土壌中に埋めて播種を行った後に、土壌中で収容テープが水で溶解しもしくは分解しまたは微生物によって分解させられると、肥料・薬剤収容凹部内に収容されていた肥料もしくは薬剤の成分が土壌中に拡散・浸出していく。この土壌中に拡散・浸出した肥料成分が、発芽した作物の生育を促進させ、薬剤成分が作物の虫害などを防ぐ。
【０００９】
したがって、請求項１に係る発明の播種用テープを使用すると、収容テープ上に種子を簡単に保持させることができるとともに、多数の種子を長手方向に沿って正確に等間隔で保持させることができ、また、種子が発芽して作物が生育していく過程においても作物の生育に対し有用な効果をもたらす。
【発明を実施するための最良の形態】
【００１０】
以下、この発明の最良の実施形態について図面を参照しながら説明する。
図１ないし図３は、この発明の１実施形態を示し、図１は、播種用テープの部分平面図であり、図２は、その部分側面図であり、図３は、図１のIII−III矢視断面図である。なお、図１では、収容テープの上面からカバーテープを一部剥離した状態を示している。
【００１１】
この播種用テープ１０は、生分解性または水溶性もしくは水分解性を有する可撓性材料で長尺帯状に形成された収容テープ１２を備えている。収容テープ１２の上面側には、長手方向に沿って等間隔で多数の凹部１４が形設されている。凹部１４には、種子を収容する種子収容凹部１６と、その近傍に配置され肥料もしくは薬剤を収容する肥料・薬剤収容凹部１８とが設けられている。また、播種用テープ１０の一側縁部には、長手方向に等間隔で、ピンローラの各ピンと係合する小円形状の係合孔２０が一列に多数穿設されている。この収容テープ１２を形成する材料としては、例えば水溶紙、ポリビニルアルコール等の水溶性樹脂、セルロースやセルロース誘導体、キチン、キトサン等の多糖類、生分解性脂肪族ポリエステル等の生分解性樹脂などが使用される。収容テープ１２の上面には、各凹部１４の開口面をそれぞれ閉塞するように、透明あるいは半透明の合成樹脂フィルム等で長尺帯状に形成されたカバーテープ２２が熱接着、粘着剤等により剥離可能に接着されている。そして、図３に示すように、種子収容凹部１６内に一粒もしくは複数粒の種子２４が封入されるとともに、肥料・薬剤収容凹部１８内に肥料（もしくは薬剤）２６が封入されている。
【００１２】
上記した播種用テープ１０に種子および肥料２６を保持させるときは、図示していないが、収容テープ１２がロール状に巻かれたリールカセットから順次収容テープ１２を繰り出して搬送しながら、収容テープ１２の各種子収容凹部１６内に種子を一粒ずつあるいは複数粒、順次投入するとともに、肥料・薬剤収容凹部１８内に肥料２６を注入していく。そして、収容テープ１２の上面の、種子収容凹部１６内への種子２４の投入および肥料・薬剤収容凹部１８内への肥料２６の注入が終わった部分に、カバーテープ２２を熱接着等により順次接着させて、凹部１４の開口面を閉塞していき、種子収容凹部１６内に種子２４が封入するとともに肥料・薬剤収容凹部１８内に肥料２６を封入する。この作業には、多数の小形電子部品をエンボステープに封入して包装（テーピング）するときなどに使用される既存のテーピング装置を用いるようにすればよい。
【００１３】
また、圃場において播種を行うときは、地表に浅く直線状の溝状穴を掘り、播種用テープ１０の収容テープ１２上面からカバーテープ２２を剥離させてから、収容テープ１２を溝状穴の底に配置した後、収容テープ１２上に土をかけて、図４に示すように土壌２８中に収容テープ１２を種子２４および肥料２６ごと埋める。このようにして種播きを行った後に、土壌２８中で収容テープ１２が水で溶解しもしくは分解しまたは微生物によって分解させられると、肥料・薬剤収容凹部１８内に収容されていた肥料（もしくは薬剤）２６の成分が土壌２８中に拡散・浸出していく。この土壌２８中に拡散・浸出した肥料成分が、発芽した作物３０の生育を促進させ、あるいは、薬剤成分によって作物３０の虫害などが防がれる。
【００１４】
収容テープ１２の上面側に形成される種子収容凹部１６および肥料・薬剤収容凹部１８の配置および形状は、図１ないし図３に示した実施形態のものに限らず、例えば図５ないし図８にそれぞれ示すような種々の配置および形状とすることができる。図５ないし図８のそれぞれにおいて、（ａ）が収容テープの部分平面図を示し、（ｂ）が（ａ）のｂ−ｂ矢視断面図を示す。
【００１５】
図５に示した収容テープ３２では、種子収容凹部３４の両側近傍に、平面形状がそれぞれ矩形をなす一対の肥料・薬剤収容凹部３６が設けられている。図６に示した収容テープ３８では、種子収容凹部４０の周囲近傍に、種子収容凹部４０を取り囲むように平面形状が円環をなす肥料・薬剤収容凹部４２が設けられている。図７に示した収容テープ４４では、種子収容凹部４６と平面形状が円形をなす肥料・薬剤収容凹部４８とが、収容テープ４４の長手方向に僅かな間隔を設けて交互にかつ一直線上に配置されている。また、図８に示した収容テープ５０では、底面に小孔５２が穿設された平面形状が円形をなす種子収容凹部５４の下方に、平面形状が円形をなす肥料・薬剤収容凹部５６が配設されている。
【図面の簡単な説明】
【００１６】
【図１】この発明の１実施形態を示す播種用テープの部分平面図である。
【図２】図１に示した播種用テープの部分側面図である。
【図３】図１のIII−III矢視断面図である。
【図４】図１に示した播種用テープの使用状態を示す部分断面図である。
【図５】この発明の別の実施形態を示し、（ａ）が播種用テープの収容テープの部分平面図であり、（ｂ）が（ａ）のｂ−ｂ矢視断面図である。
【図６】この発明のさらに別の実施形態を示し、（ａ）が播種用テープの収容テープの部分平面図であり、（ｂ）が（ａ）のｂ−ｂ矢視断面図である。
【図７】この発明のさらに別の実施形態を示し、（ａ）が播種用テープの収容テープの部分平面図であり、（ｂ）が（ａ）のｂ−ｂ矢視断面図である。
【図８】この発明のさらに別の実施形態を示し、（ａ）が播種用テープの収容テープの部分平面図であり、（ｂ）が（ａ）のｂ−ｂ矢視断面図である。
【符号の説明】
【００１７】
１０  播種用テープ
１２、３２、３８、４４、５０  収容テープ
１４  凹部
１６、３４、４０、４６、５４  種子収容凹部
１８、３６、４２、４８、５６  肥料・薬剤収容凹部
２２  カバーテープ
２４  種子
２６  肥料
２８  土壌
３０  作物
【図１】
2007222034.tif 000003
【図２】
2007222034.tif 000004
【図３】
2007222034.tif 000005
【図４】
2007222034.tif 000006
【図５】
2007222034.tif 000007
【図６】
2007222034.tif 000008
【図７】
2007222034.tif 000009
【図８】
2007222034.tif 000010